(57)【要約】【課題】集水器に流入した雨水が漏れ出すことなく雨水を集水器の底壁の排水口にスムーズに排水することができる集水器を提供する。【解決手段】上方に開口した略箱状をして底壁１の中央部に排水口１０を設けると共にその対向する一対の側壁２ａの前記底壁１より上方位置に軒樋３の端部３ａが挿入される軒樋挿入口２０を設けた集水器４である。底壁１の排水口１０の周囲上面に軒樋３の端部３ａから底壁１上に流入した雨水を排水口１０内に誘導するガイドリブ５を設けると共に、排水口１０の上方に軒樋３の端部３ａから集水器４内に流入した雨水が排水口１０の上方を跨ぐのを阻止して排水口１０内に誘導する堰板部６を設けた。【選択図】        図１
2004257088.tif 000002
【特許請求の範囲】
【請求項１】
上方に開口した略箱状をして底壁の中央部に排水口を設けると共にその対向する一対の側壁の前記底壁より上方位置に軒樋の端部が挿入される軒樋挿入口を設けた集水器において、底壁の排水口の周囲上面に軒樋の端部から底壁上に流入した雨水を排水口内に誘導するガイドリブを設けると共に、排水口の上方に軒樋の端部から集水器内に流入した雨水が排水口の上方を跨ぐのを阻止して排水口内に誘導する堰板部を設けて成ることを特徴とする集水器。
【請求項２】
堰板部の軒樋方向の両側にそれぞれ一対のガイドリブを平面視において軒樋挿入口側へ行く程間隔が広い略ハ字状に設けると共に、堰板部の軒樋方向と直交する方向の両端部に該両端部のそれぞれ軒樋方向の両側に位置するガイドリブ間に嵌め込まれる嵌め込み部を設けて成ることを特徴とする請求項１記載の集水器。
【発明の詳細な説明】
【０００１】
【発明の属する技術分野】
本発明は、軒樋の水を集水して縦樋から排水するための集水器に関するものである。
【０００２】
【従来の技術】
従来より、図４に示すような集水器４が使用されている。この集水器４は、上方に開口する略箱状をしたもので、対向する一対の側壁２ａにそれぞれ軒樋３の端部が挿入・接続される軒樋挿入口２０を設けると共に、底壁１の中央部に排水口１０を設けてある。集水器４の軒樋挿入口２０には軒樋３の端部３ａが挿入されて接続され、排水口１０には縦樋７の上端部７１が接続されて、軒樋３から集水器４に流入した雨水を縦樋７から排水するようになっている。
【０００３】
このような集水器４には、軒樋３の端部３ａから集水器４の底壁１上に流入した雨水を底壁１の中央部の排水口１０に誘導するために、底壁１上の排水口１０の周囲にガイドリブを設けたものもある（例えば特許文献１参照）。
【０００４】
しかしながら、上述したような集水器４にあっては、軒樋３を大量の雨水が流れる場合には、一方の軒樋３の端部３ａから集水器４に流入する雨水が排水口１０の上方を跨いで図４中のホに示すように他方の軒樋３と集水器４との間の隙間Ｓから漏れ出すという問題があった。
【０００５】
【特許文献１】
特開２００１−１２３６０３号公報
【０００６】
【発明が解決しようとする課題】
本発明は上記の点に鑑みてなされたものであり、その目的とするところは、集水器に流入した雨水が漏れ出すことなく雨水を集水器の底壁の排水口にスムーズに排水することができる集水器を提供することを課題とするものである。
【０００７】
【課題を解決するための手段】
上記課題を解決するために本発明に係る集水器は、上方に開口した略箱状をして底壁１の中央部に排水口１０を設けると共にその対向する一対の側壁２ａの前記底壁１より上方位置に軒樋３の端部３ａが挿入される軒樋挿入口２０を設けた集水器４において、底壁１の排水口１０の周囲上面に軒樋３の端部３ａから底壁１上に流入した雨水を排水口１０内に誘導するガイドリブ５を設けると共に、排水口１０の上方に軒樋３の端部３ａから集水器４内に流入した雨水が排水口１０の上方を跨ぐのを阻止して排水口１０内に誘導する堰板部６を設けて成ることを特徴とするものである。このような構成とすることで、軒樋３の端部３ａから飛び出した雨水が排水口１０の上方に配設された堰板部６に当たって排水口１０を跨ぐのが阻止されて排水口１０に誘導されることとなり、雨水が排水口１０の上方を跨いで他方の軒樋３と集水器４との間の隙間Ｓから漏れ出てしまったりするのを防止することができる。
【０００８】
また、堰板部６の軒樋３方向の両側にそれぞれ一対のガイドリブ５を平面視において軒樋挿入口２０側へ行く程間隔が広い略ハ字状に設けると共に、堰板部６の軒樋３方向と直交する方向の両端部に該両端部のそれぞれ軒樋３方向の両側に位置するガイドリブ５間に嵌め込まれる嵌め込み部６１を設けることが好ましい。このような構成とすることで、堰板部６を容易に集水器４に設けることができる。
【０００９】
【発明の実施の形態】
以下、本発明を添付図面に示す実施形態に基づいて説明する。
【００１０】
集水器４は、図１乃至図３に示すように、平面視略矩形状をした上方に開口する略箱状に形成される。この集水器４の側壁２のうち対向する一対の側壁２ａには、軒樋挿入口２０がそれぞれ設けてあり、この軒樋挿入口２０にそれぞれ軒樋３の端部３ａを挿入して固定することで軒樋３と集水器４とを接続するものである。
【００１１】
軒樋３は、長手方向と直交する断面の形状が上方に開口する略コ字状をしたもので、隣接する二本の軒樋３の対向する端部３ａ間に集水器４が配置される。軒樋３の前記断面の幅及び上下長さは、集水器４の軒樋挿入口２０が設けられる一対の側壁２ａの幅及び上下長さよりそれぞれ小さく、軒樋挿入口２０は軒樋３の前記断面とほぼ同じに形成してある。軒樋挿入口２０の下端部２０ａは側壁２ａの下端部２１よりも上方（即ち底壁１よりも上方）に位置しており、また、軒樋挿入口２０の上端部２０ｂにあっては、該軒樋挿入口２０が側壁２ａの上方に開口してあってもよい。本実施形態では、前記のように軒樋挿入口２０が側壁２ａの上方に開口した状態となっており、側壁２ａの軒樋挿入口２０の両側の上端部は軒樋挿入口２０側に突出して軒樋３の側壁２上端部の耳部３１を係止する係止部となっている。
【００１２】
また集水器４には、底壁１の中央部に排水口１０が設けてあり、この排水口１０に縦樋７の上端部７１が接続される。本実施形態では、排水口１０は略円形状となっていると共に、縦樋７の断面も前記排水口１０と略同形状の略円形状となっているが、特に略円形状に限定されるものではない。
【００１３】
このような集水器４と軒樋３との接続について説明する。
【００１４】
軒樋３は、上述したように集水器４の対向する一対の側壁２ａに設けた軒樋挿入口２０に挿入されるが、これには、軒樋３の端部３ａを外側から軒樋挿入口２０内に適当な長さだけ挿入して集水器４に差し込むものである。軒樋３と軒樋挿入口２０の形状はほぼ同形状に形成してあって軒樋３が軒樋挿入口２０に嵌入され、軒樋３の耳部３１が軒樋挿入口２０の係止部にて係止されて固定される。集水器４は、両側から軒樋３の端部３ａがそれぞれ挿入されて固定されるが、軒樋３の端部３ａ位置の誤差を吸収するため、前述したように軒樋３を端部から適当な長さ挿入して固定するものである。
【００１５】
従って、集水器４は通常は軒樋３の長手方向にある程度長く（即ち軒樋挿入口２０が形成される一対の対向する側壁２ａ間の距離を長く）形成することが好ましく、底壁１の前記軒樋３の長手方向の長さもある程度長くなると共にその方向の中央部に排水口１０を形成することになる。本実施形態では、集水器４の平面視における前記軒樋３の長手方向の長さと直交する方向の長さも排水口１０より長く形成してあり、その中央部に排水口１０を形成してある。
【００１６】
集水器４に接続された軒樋３から集水器４に流入する雨水は、軒樋３の端部３ａから集水器４の底壁１上に落下し、底壁１上を流れて底壁１の中央部の排水口１０より排水されることとなるが、この底壁１上に落下した雨水を排水口１０に誘導するため、底壁１の排水口１０の周囲上面にガイドリブ５を設けてある。
【００１７】
ガイドリブ５は、底壁１の排水口１０の周囲に二対（計四個）設けてある。排水口１０は、底壁１の平面視略中央部に形成してあるが、この排水口１０の中心の前記軒樋３の長手方向の両側に一対ずつほぼ対称に設けてあるが、特に対称でなくてもよい。
【００１８】
一対のガイドリブ５は、平面視において軒樋挿入口２０側へ行く程間隔が広い略ハ字状に設けてある。またガイドリブ５の他例として、図３に示すように、平面視においてガイドリブ５が軒樋３の長手方向と直交する方向に配置されてあってもよい。
【００１９】
このようなガイドリブ５を設けることで、底壁１上に落下した雨水を底壁１の中央部の排水口１０に誘導して雨水をスムーズに排水することができるが（図２（ａ）中のハ，図３中のニ参照）、更に、大量の雨水が軒樋３から集水器４に流入する場合、一方の軒樋３の端部３ａから雨水が勢い良く飛び出して排水口１０の上方を跨いで他方の軒樋３と集水器４との間の隙間Ｓから漏れ出てしまうため、軒樋３の端部３ａから集水器４内に流入した雨水が排水口１０の上方を跨ぐのを阻止する堰板部６を一体に又は別体として設けてある。
【００２０】
堰板部６は、排水口１０の中心部の上方に軒樋３の長手方向と直交する方向に配置されるもので、堰板部６の下端部は底壁１上面又は排水口１０内（即ち底壁１より下方）に位置し、堰板部６の上端部６ａは軒樋３の下端部よりも上方に位置する。これによって、一方の軒樋３の端部３ａから雨水がガイドリブ５の上方を跨ぐ程勢い良く飛び出す場合でも、図１中のイに示すように飛び出した雨水が排水口１０の上方に配設された堰板部６に当たって排水口１０を跨ぐのが阻止されて排水口１０に誘導されることとなり、雨水が排水口１０の上方を跨いで他方の軒樋３と集水器４との間の隙間Ｓから漏れ出てしまったりするのを防止することができる。
【００２１】
本実施形態においては、堰板部６を集水器４と別体に形成すると共に、堰板部６にガイドリブ５間に着脱自在に嵌め込む嵌め込み部６１を設けてある。ガイドリブ５は上述したように、それぞれの対が平面視において軒樋挿入口２０側へ行く程間隔が広い略ハ字状に設けてあり、この二対のガイドリブ５は底壁１の排水口１０の中心部の両側にほぼ対称となるように設けてある（図２参照）。そして、この二対のガイドリブ５の同側（即ち軒樋３の長手方向と直交する方向の同側）に位置する隣接するガイドリブ５は、平面視において内側（即ち排水口１０の中心部側）へ行く程間隔が狭い略ハ字状に設けてあり、その外側端部は集水器４の軒樋挿入口２０を設けていない側壁２に連結してある。前記隣接するガイドリブ５と前記側壁２にて囲まれる部分に堰板部６の両側の下端部の嵌め込み部６１が嵌め込まれる。このようにすることで、堰板部６を容易に集水器４に設けることができ、また、堰板部６を着脱自在に集水器４に取り付けるため、堰板部６の取替も容易となる。
【００２２】
【発明の効果】
上記のように本発明の請求項１記載の発明にあっては、上方に開口した略箱状をして底壁の中央部に排水口を設けると共にその対向する一対の側壁の前記底壁より上方位置に軒樋の端部が挿入される軒樋挿入口を設けた集水器において、底壁の排水口の周囲上面に軒樋の端部から底壁上に流入した雨水を排水口内に誘導するガイドリブを設けると共に、排水口の上方に軒樋の端部から集水器内に流入した雨水が排水口の上方を跨ぐのを阻止して排水口内に誘導する堰板部を設けたので、軒樋の端部から飛び出した雨水が排水口の上方に配設された堰板部に当たって排水口を跨ぐのが阻止されて排水口に誘導されることとなり、雨水が排水口の上方を跨いで他方の軒樋と集水器との間の隙間から漏れ出てしまったりするのを防止することができる。
【００２３】
また請求項２記載の発明にあっては、請求項１記載の発明の効果に加えて、堰板部の軒樋方向の両側にそれぞれ一対のガイドリブを平面視において軒樋挿入口側へ行く程間隔が広い略ハ字状に設けると共に、堰板部の軒樋方向と直交する方向の両端部に該両端部のそれぞれ軒樋方向の両側に位置するガイドリブ間に嵌め込まれる嵌め込み部を設けたので、堰板部を容易に集水器に設けることができる。
【図面の簡単な説明】
【図１】本発明の一実施形態を示し、（ａ）は要部平面図であり、（ｂ）は要部側断面図である。
【図２】同上において堰板部を装着していない状態を示し、（ａ）は要部平面図であり、（ｂ）は要部側断面図である。
【図３】本発明の他例を示し、（ａ）は要部平面図であり、（ｂ）は要部側断面図である。
【図４】従来例を示し、（ａ）は要部平面図であり、（ｂ）は要部側断面図である。
【符号の説明】
１  底壁
１０  排水口
２ａ  一対の側壁
２０  軒樋挿入口
３  軒樋
３ａ  端部
４  集水器
５  ガイドリブ
６  堰板部
【図１】
2004257088.tif 000003
【図２】
2004257088.tif 000004
【図３】
2004257088.tif 000005
【図４】
2004257088.tif 000006